(57)【要約】      （修正有）【課題】照明カバーの交換を電球等の照明部材と独立して行い得るようにする照明カバーの取り付け構造の提供。【解決手段】特定方向に開口する中空状をなし、通電コード６が挿通される挿通孔３２を周壁に有するホルダ３と、特定方向に開口する中空状をなし、ホルダ３の開口端部３１に着脱自在に連結されるように構成された開口端部１１を有する照明カバー１とを設け、この照明カバー１をホルダ３に取り付けて固定し、これらホルダ３と照明カバー１との内部に形成された空間に、通電コード６の一部とこれに接続された照明部材１０とを収納する。【選択図】図２
0003120508.tif 000002
【実用新案登録請求の範囲】
【請求項１】
通電コードに接続された照明部材の周囲を覆う照明カバーを、上記照明部材と別体に構成されたホルダに取り付けて固定する照明カバーの取付構造であって、
上記ホルダは、特定方向に開口する中空状をなし、その周壁に、上記通電コードが挿通される挿通孔を有し、
上記照明カバーは、特定方向に開口する中空状をなし、その開口端部が上記ホルダの開口端部に着脱自在に連結されるように構成され、
上記ホルダと照明カバーとの内部に形成された空間に、上記通電コードの一部とこれに接続された照明部材とが収納可能となっていることを特徴とする照明カバーの取付構造。
【請求項２】
請求項１記載の照明カバーの取付構造において、
上記ホルダの内部には、上記ホルダ周壁の挿通孔から上記ホルダ内に浸入した水分が上記照明カバーの内部まで浸入するのを防止するシール部材が設けられていることを特徴とする照明カバーの取付構造。
【請求項３】
請求項２記載の照明カバーの取付構造において、
上記シール部材は、弾性体から構成されるとともに、上記照明部材の外周面に密着可能な内周面を有することを特徴とする照明カバーの取付構造。
【考案の詳細な説明】
【技術分野】
【０００１】
本考案は、通電コードに接続された電球等の照明部材の周囲を覆う照明カバーの取付構造に関する。
【背景技術】
【０００２】
従来、下記特許文献１に示されるように、通電コードに複数の電球（照明部材）を接続したものを、例えばクリスマスツリー等の物品に配することにより、当該物品を照明装飾（電飾）することが行われていた。
【特許文献１】特開２００２−２６０４３８号公報
【考案の開示】
【考案が解決しようとする課題】
【０００３】
ここで、上記電球による装飾効果をさらに高めるために、各種形状にデザインされた照明カバーによって上記電球を覆うことがある。このような照明カバーは、専用に設けられる電球用ソケットに取り付けられるのが一般的である。
【０００４】
しかしながら、上記のような照明カバーの取付構造では、電球とソケットと照明カバーとを常にセットで使用しなければならない。したがって、例えば、照明カバーを別の形状のものに変更したいような場合には、電球およびソケットもセットで交換する必要が生じ、その分余計にコストがかかってしまう。また、このことが照明カバーを自由に交換するのを阻害する要因となり、照明装飾の自由性を損なわせる結果となっていた。
【０００５】
本考案は、上記のような問題点に鑑みてなされたものであり、照明カバーの交換を電球等の照明部材と独立して行い得るようにすることで、照明装飾の自由性を向上させることを目的とする。
【課題を解決するための手段】
【０００６】
上記課題を解決するためのものとして、本考案は、通電コードに接続された照明部材の周囲を覆う照明カバーを、上記照明部材と別体に構成されたホルダに取り付けて固定する照明カバーの取付構造であって、上記ホルダは、特定方向に開口する中空状をなし、その周壁に、上記通電コードが挿通される挿通孔を有し、上記照明カバーは、特定方向に開口する中空状をなし、その開口端部が上記ホルダの開口端部に着脱自在に連結されるように構成され、上記ホルダと照明カバーとの内部に形成された空間に、上記通電コードの一部とこれに接続された照明部材とが収納可能となっていることを特徴とするものである（請求項１）。
【０００７】
本考案によれば、照明部材とは別体に構成された中空状のホルダに、中空状の照明カバーを、両者の開口端部どうしを着脱自在に連結させることによって取り付け、これらホルダと照明カバーとの内部に形成された空間に、通電コードの一部とこれに接続された照明部材とを収納するようにしたため、照明部材（のソケット）に直接取り付けられるように構成されていた従来の照明カバーの取付構造と異なり、照明カバーの交換を照明部材と独立して行うことができる。このため、照明カバーの交換を安いコストで行うことができ、照明装飾を多様な照明カバーを用いて自由に楽しむことが可能になる。
【０００８】
上記ホルダの内部には、上記ホルダ周壁の挿通孔から上記ホルダ内に浸入した水分が上記照明カバーの内部まで浸入するのを防止するシール部材が設けられていることが好ましい（請求項２）。
【０００９】
このようにすれば、ホルダ周壁の挿通孔から雨水等の水分が浸入しても、当該水分が照明カバーの内部まで浸入するのをシール部材によって防止できるため、上記水分が照明カバーの内部に溜まってしまうという事態を効果的に回避することができる。
【００１０】
上記シール部材は、弾性体から構成されるとともに、上記照明部材の外周面に密着可能な内周面を有することが好ましい（請求項３）。
【００１１】
このように、弾性体からなるシール部材の内周面を、照明部材の外周面に密着させるように構成した場合には、水分の浸入を確実に防止できるとともに、照明部材を安定して保持することができる。
【考案の効果】
【００１２】
以上説明したように、本考案の照明カバーの取付構造によれば、照明カバーの交換を電球等の照明部材と独立して行うことができるため、照明装飾の自由性を向上させることができる。
【考案を実施するための最良の形態】
【００１３】
以下、本考案の好ましい実施の形態を図面を参照しながら説明する。
【００１４】
（実施形態１）
図１は、本考案の第１の実施形態にかかる照明カバーの取付構造を示す断面図、図２は、同取付構造を示す分解図である。これら図１および図２に示される照明カバー１は、通電コード６に接続された照明部材１０の周囲を覆うものであって、この照明部材１０と別体に構成されたホルダ３に取り付けられるようになっている。なお、以下の説明では便宜上、ホルダ３が上側に、照明カバー１が下側に配置されているものとする。
【００１５】
上記照明部材１０は、上記通電コード６が接続されるソケット９と、このソケット９に着脱自在に取り付けられる電球８とから構成されている。
【００１６】
上記通電コード６は、図略の電源から延びており、プラス側から延びるコードとマイナス側から延びるコードとが縒り合わされて構成されている。この通電コード６には、上記照明部材１０が直列に複数個接続されており、図１および図２では、そのうちの１個の照明部材１０のみを記載している。なお、図示の配線方式はあくまで一例であり、本考案の照明カバー１の取付構造は、各種の配線方式のものに適用可能である。例えば、メインの通電コードから分岐するコードに各照明部材１０が接続される並列配線方式のものにも適用することができる。
【００１７】
上記ホルダ３は、下側に開口した筒状の部材であり、その開口端部３１の内周面に、雌ネジ３１ａを有している。また、このホルダ３の側壁には、１８０度の角度間隔を置いた周方向２箇所に、上記通電コード６が挿通される一対の挿通孔３２が形成されている。この挿通孔３２は、一定幅を有した長孔状をなし、ホルダ３の開口端側を基点に他端側に延びるように形成されている。
【００１８】
上記照明カバー１は、中空で略球状の部材であり、上側の１箇所に上方に突出する開口端部１１を有しており、この開口端部１１の外周面には、上記ホルダ３の雌ネジ３１ａと嵌合可能な雄ネジ１１ａが形成されている。すなわち、照明カバー１は、その開口端部１１がホルダ３の開口端部３１にネジ嵌合により連結されることにより、ホルダ３に着脱自在に取り付けられるようになっている。
【００１９】
上記ホルダ３の内部には、弾性体からなる２枚のパッキン５，７が設けられている。このうち、上側の第１パッキン５は、平板状に形成されており、ホルダ３の内部に導入された通電コード６よりも上方側に設置されている。もう一方の第２パッキン７は、中央部に厚み方向に貫通する孔７１を有するリング状に形成されており、上記通電コード６よりも下方側に設置されている。
【００２０】
これら第１・第２パッキン５，７は、照明カバー１がホルダ３に取り付けられるのに応じて厚み方向に圧縮されるようになっている。すなわち、照明カバー１の開口端部１１がホルダ３の開口端部３１にねじ込まれるのに応じて、この開口端部３１と通電コード６との間に第２パッキン７が挟み込まれるとともに、上記第２パッキン７を介して押圧される通電コード６とホルダ３の底部３３との間に第１パッキン５が挟み込まれることにより、これら第１・第２パッキン５，７が圧縮されるようになっている。これにより、上記第１パッキン５の下面と第２パッキン７の上面とが通電コード６に密着するようにそれぞれ弾性変形するとともに、第２パッキン７がその内径（孔７１の直径）を縮小させるように弾性変形し、この第２パッキン７の内周面が照明部材１０のソケット９の外周面に密着することになる。
【００２１】
この結果、通電コード６を伝って挿通孔３２からホルダ３の内部に浸入しようとする雨水等の水分があった場合でも、当該水分の浸入が、通電コード６を挟み込むような状態でこれに密着する上記第１・第２パッキン５，７の存在によってある程度防止される。このとき、若干の水分がホルダ３の内部に浸入し、このホルダ３内に浸入した水分が照明カバー１の内部までさらに浸入しようとしても、当該水分の浸入が、今度はソケット９の外周面に密着する上記第２パッキン７の存在によって防止される。このように、雨水等の水分が挿通孔３２からホルダ３の内部若しくは照明カバー１の内部まで浸入しようとしても、当該水分の浸入が、ホルダ３の内部に設けられた上記第１・第２パッキン５，７の存在によって確実に防止されるようになっている。
【００２２】
次に、以上のような照明カバー１の取付構造において、照明カバー１をホルダ３に組み付ける手順について説明する。
【００２３】
まず、単品の状態のホルダ３に、第１パッキン５を挿入しておく。
【００２４】
次いで、照明部材１０のソケット９側にホルダ３を被せるようにして、ホルダ３の内部にソケット９（の一部）を挿入するとともに、このソケット９の左右に延びる通電コード６を、ホルダ３側壁の一対の挿通孔３２にそれぞれ挿入する。
【００２５】
次いで、第２パッキン７の孔７１に照明部材１０を挿通させるようにして、第２パッキン７をホルダ３の内部に挿入する。
【００２６】
そして最後に、照明カバー１の開口端部１１をホルダ３の開口端部３１にねじ込むことにより、照明カバー１をホルダ３に取り付けて固定する。このとき、照明カバー１の開口端部１１の端面に形成された突起１１ｂが、第２パッキン７の下端に形成された係合段部７ａに係合するようになっており、それによって第２パッキン７が位置決めされる。
【００２７】
また、これに応じて第１・第２パッキン５，７が圧縮変形し、第１パッキン５の下面と第２パッキン７の上面とが通電コード６に密着するとともに、第２パッキン７の内周面がソケット９の外周面に密着する。
【００２８】
以上のような手順により、照明カバー１がホルダ３に取り付けられ、これら照明カバー１とホルダ３との内部に形成された空間に、照明部材１０が収納されて保持される。
【００２９】
以上説明したように、上記第１実施形態によれば、照明部材１０とは別体に構成された筒状のホルダ３に、中空状の照明カバー１を、両者の開口端部１１，３１どうしをネジ嵌合により連結させることによって取り付け、これらホルダ３と照明カバー１との内部に形成された空間に、通電コード６の一部とこれに接続された照明部材１０とを収納するようにしたため、照明部材１０（のソケット９）に直接取り付けられるように構成されていた従来の照明カバーの取付構造と異なり、照明カバー１の交換を照明部材１０と独立して行うことができる。このため、照明カバー１の交換を安いコストで行うことができ、照明装飾を多様な照明カバー１を用いて自由に楽しむことが可能になる。
【００３０】
また、上記第１実施形態のように、ホルダ３の側壁に形成される挿通孔３２を通じてホルダ３の内部や照明カバー１の内部に浸入しようとする雨水等の水分を、ホルダ３の内部に設けられた第１・第２パッキン５，７によってシールするようにした場合には、上記水分が照明カバー１の内部まで浸入するのを確実に防止することができるため、当該水分が照明カバー１の内部に溜まってしまうという事態を効果的に回避することができる。
【００３１】
また、上記第１実施形態のように、照明カバー１の開口端部１１がホルダ３の開口端部３１にねじ込まれるのに応じて、弾性体からなる第２パッキン７を上記開口端部１１と通電コード６との間に挟み込むようにした場合には、第２パッキン７をその内径（孔７１の直径）を縮小させるように弾性変形させ、それによって第２パッキン７の内周面を照明部材１０のソケット９の外周面に密着させることができるため、水分の浸入を確実に防止できるとともに、照明部材１０を安定して保持することができる。
【００３２】
なお、上記第１実施形態では、電球８とソケット９からなる照明部材１０を用いたが、電球８単体からなる照明部材や、ＬＥＤランプ等を用いた各種の照明部材に対しても、本考案の照明カバー１の取付構造を採用することが可能である。
【００３３】
また、上記第１実施形態では、照明カバー１の開口端部１１をホルダ３の開口端部３１にネジ嵌合によって連結することにより、照明カバー１をホルダ３に着脱自在に取り付けるようにしたが、着脱自在な連結手段であればこのようなネジ嵌合に限らず、各種の連結手段を採用可能である。
【００３４】
また、上記第１実施形態では、通電コード６が挿通される挿通孔３２をホルダ３の周壁に設けたが、他の箇所に挿通孔３２を設けることも可能である。その一例を以下の第２実施形態に基づいて説明する。
【００３５】
（実施形態２）
図３は、本考案の第２の実施形態にかかる照明カバーの取付構造を示す断面図である。なお、この図３において、上記第１実施形態における構成要素と同一の要素には同一符合を付してその詳細な説明を省略する。
【００３６】
この第２実施形態では、上記第１実施形態と異なり、通電コード６が挿通される挿通孔３０２が、ホルダ３０の底部３０３に形成されている。また、これに対応して、第１パッキン５０にも、通電コード６が挿通される挿通孔５０２が形成されている。通電コード６は、これらホルダ３の挿通孔３０２と第１パッキン５０の挿通孔５０２とを挿通して上下方向に延び、ホルダ３０の内部に導入されるようになっている。
【００３７】
上記ホルダ３０の挿通孔３０２の直径は、照明部材１０（電球８およびソケット９）の外径よりも若干大きい値に設定されている。すなわち、この挿通孔３０２を通じて、照明部材１０と通電コード６の一部とをホルダ３０の内部に支障なく挿入できるようになっている。
【００３８】
上記第１パッキン５０の挿通孔５０２の直径も、初期状態においては、上記ホルダ３０の挿通孔３０２と同様に、照明部材１０の外径よりも若干大きい値に設定されている。ただし、この挿通孔５０２の直径は、照明カバー１がホルダ３０に取り付けられる際に、第１パッキン５０がホルダ３０の底部３０３と第２パッキン７との間に挟み込まれて弾性変形するのに応じて、照明部材１０のソケット９の直径よりも小さい値に縮小される。これにより、照明部材１０が第１パッキン５の挿通孔５０２よりも上方に（ホルダ３０の外側に）抜け出してしまうことが防止されるため、照明部材１０が、ホルダ３０および照明カバー１の内部空間に安定して保持されるようになっている。なお、照明部材１０は、ソケット９の外周面に密着している第２パッキン７によっても保持されているため、この第２パッキン７と上記第１パッキン５との両方の存在により、照明部材１０がホルダ３０の外側に抜け出すことが確実に防止されるようになっている。
【００３９】
以上のような第２実施形態においても、上記第１実施形態と同様に、照明カバー１の交換を照明部材１０と独立して行うことができるため、照明装飾の自由性を向上させることができる。
【図面の簡単な説明】
【００４０】
【図１】本考案の第１実施形態にかかる照明カバーの取付構造を示す断面図である。
【図２】上記照明カバーの取付構造を示す分解図である。
【図３】本考案の第２実施形態にかかる照明カバーの取付構造を示す断面図である。
【符号の説明】
【００４１】
１    照明カバー
３    ホルダ
６    通電コード
７    パッキン（シール部材）
１０  照明部材
１１  （照明カバーの）開口端部
３１  （ホルダの）開口端部
３２  挿通孔
【図１】
0003120508.tif 000003
【図２】
0003120508.tif 000004
【図３】
0003120508.tif 000005